(57)【要約】      （修正有）【課題】ロール紙であっても、蓋を開く手間が無く安定的に取り出すことができるボックスロール紙及びロール紙収容ボックスを提供する。【解決手段】ボックスロール紙１は、ロール状のシート紙２と、底部及び底部に接続される側壁部３１１を備えたシート紙を収容するための収容部３１、及び、側壁部に接続され収容部を覆うとともに開閉可能な蓋部３２と、を有するロール紙収容ボックス３と、を有する。蓋部は、抑え切込部と、抑え切込部の両端部に抜穴部を有する。【選択図】図３
0003232132.tif 000002
【実用新案登録請求の範囲】
【請求項１】
ロール状のシート紙と、
底部及び前記底部に接続される側壁部を備えた前記ロール紙を収容するための収容部、及び、側壁部に接続され前記収容部を覆うとともに開閉可能な蓋部と、を有するロール紙収容ボックスと、を有するボックスロール紙であって、
前記蓋部は、抑え切込部と、前記抑え切込部の両端部に抜穴部を有するボックスロール紙。
【請求項２】
前記抑え切込部は、両端の前記抜穴部よりも突出した位置にある請求項１記載のボックスロール紙。
【請求項３】
前記抑え切込部の長さは、前記抜穴部の両端の長さを１とした場合に、０．２以上０．５以下の範囲にある請求項１記載のボックスロール紙。
【請求項４】
前記抑え切込部の高さは５ｍｍ以上２ｃｍ以下の範囲にある請求項１記載のボックスロール紙。
【請求項５】
前記抜穴部は、当初ミシン目によって接続された抜穴紙を抜き外すことにより形成される請求項１記載のボックスロール紙。
【請求項６】
底部及び前記底部に接続される側壁部を備えた前記ロール紙を収容するための収容部、及び、側壁部に接続され前記収容部を覆うとともに開閉可能な蓋部と、を有するロール紙収容ボックス。
【考案の詳細な説明】
【技術分野】
【０００１】
本考案はボックスロール紙及びロール紙収容ボックスに関する
【背景技術】
【０００２】
一般に、料理において、直接まな板や容器に触れないようシート状の紙（シート紙）が利用されている。このシート紙の例としては、例えば下記特許文献１に記載がある。
【０００３】
また、一方でボックスティッシュ等は、互いに織り込まれて多数層となったティッシュを一枚開口部で保持しておき、その一枚のティッシュを取り出した場合、次のティッシュが自動的に開口部に引き出され、開口部に保持されるという構成となっている。これに関する技術は、例えば下記特許文献２に記載がある。
【先行技術文献】
【特許文献】
【０００４】
【特許文献１】特開２０１７−１５９９３１号公報
【特許文献２】実用新案登録第３２１９３２０号公報
【考案の概要】
【考案が解決しようとする課題】
【０００５】
上記特許文献１に記載の技術は、ロール状の紙（ロール紙）が収納され、ロール紙を取り出す場合、蓋を開いてロール紙を取り出す必要がある。蓋を開くこと自体に労力がかかるわけではないが、開閉の手間がかかるといった課題がある。
【０００６】
また、上記特許文献２に記載の技術は、蓋を開く手間が無いといった利点があるが、四角いシートを多数互い違いに重ね合わせなければならないといった課題がある。
【０００７】
そこで、本考案は、上記課題を鑑み、ロール紙であっても、蓋を開く手間が無く安定的に取り出すことができるボックスロール紙及びロール紙収容ボックスを提供することを目的とする。
【課題を解決するための手段】
【０００８】
上記課題を解決する本考案の一観点に係るボックスロール紙は、ロール状のシート紙と、底部及び底部に接続される側壁部を備えたロール紙を収容するための収容部、及び、側壁部に接続され収容部を覆うとともに開閉可能な蓋部と、を有するロール紙収容ボックスと、を有するボックスロール紙であって、蓋部は、抑え切込部と、前記抑え切込部の両端部に抜穴部を有するものである。
【０００９】
本観点において、限定されるわけではないが、抑え切込部は、両端の前記抜穴部よりも突出した位置にあることが好ましい。
【００１０】
また、本観点において、限定されるわけではないが、抑え切込部の長さは、抜穴部の両端の長さを１とした場合に、０．２以上０．５以下の範囲にあることが好ましい。
【００１１】
また、本観点において、限定されるわけではないが、抑え切込部の高さは５ｍｍ以上２ｃｍ以下の範囲にあることが好ましい。
【００１２】
また、本観点において、限定されるわけではないが、抜穴部は、当初ミシン目によって接続された抜穴紙を抜き外すことにより形成されることが好ましい。
【００１３】
また、本考案の他の一観点に係るロール紙収容ボックスは、底部及び底部に接続される側壁部を備えたロール紙を収容するための収容部、及び、側壁部に接続され収容部を覆うとともに開閉可能な蓋部と、を有するものである。
【考案の効果】
【００１４】
以上、本考案によって、ロール紙であっても、蓋を開く手間が無く安定的に取り出すことができるボックスロール紙及びロール紙収容ボックスを提供することができる。
【図面の簡単な説明】
【００１５】
【図１】実施形態に係るボックスロール紙の概略斜視を示す図である。
【図２】実施形態に係るボックスロール紙の蓋部を示す図である。
【図３】実施形態に係るボックスロール紙の蓋部を開いた状態の概略を示す図である。
【図４】実施形態に係るボックスロール紙からシート紙を取り出す場合のイメージ図である。
【図５】実施形態に係るボックスロール紙からシート紙を取り出す場合のイメージ図である。
【図６】実施形態に係るボックスロール紙の蓋部の寸法の基準を示す図である。
【図７】実施形態に係るボックスロール紙の蓋部の抑え切込部及び抜穴部の切取り前を示す図である。
【考案を実施するための最良の形態】
【００１６】
以下、本考案の実施形態について図面を用いて詳細に説明する。ただし、本考案は多くの異なる形態による実施が可能であり、以下に示す実施形態の例に限定されるわけではない。
【００１７】
図１は、本実施形態に係るボックスロール紙１の概略斜視を示す図であり、図２は、この上面図である。また、図３は、蓋部を空けた場合の概略斜視図であり、図４，５はロール紙を取り出す際のイメージ図である。
【００１８】
本図で示すように、本ボックスロール紙１は、ロール状のシート紙２と、ロール紙を収容するためのロール紙収容ボックス３とを備えている。すなわち、本明細書では、「シート紙」と「ロール紙収容ボックス」が組み合わされた状態を「ボックスロール紙」と呼ぶ。
【００１９】
ロール状のシート紙（以下単に「シート紙」ともいう。）２は、シート紙２がロール状に巻かれたものとなっている。また、シート紙２は、ミシン目が入っており、適切な量が引き出された後、このミシン目により容易に切り離すことができるようになっている。
【００２０】
シート紙２の材質は特に制限されないが、料理における魚や肉等の食材の鮮度や品質を保つことができるよう、例えば上質クレープ紙等を用いることが好ましい。上質クレープ紙は、紙として優れた吸水性・保水性を備え、適度な通気性や強度も備えている点において非常に有用である。また、上質クレープ紙は一般に天然パルプ１００％であり、蛍光染料等を含まず安全性に優れる。更に、湿潤紙力があり水に強く丈夫であり、長時間の包装用途でも破れにくく紙粉の付着を軽減できるといった特徴もある。
【００２１】
またシート紙２の大きさも特に制限されない。ただし、料理において魚や肉等の食材を容器表面等と直接接しないように配置させるシート紙としての用途が主たるものであるため、ある程度大きなものであることが好ましく、例えばロール紙の幅として１５ｃｍ以上であることが好ましく、より好ましくは２０ｃｍ以上である。また、このロール紙の未使用時の太さも特に制限されるものではないが、例えば直径で５ｃｍ以上であることが好ましく、１０ｃｍ以上であることがより好ましい。
【００２２】
また、ロール紙収容ボックス３（以下「本ボックス」という。）は、上記ロール状のシート紙２を収容するものである。具体的な構成としては、本ボックス３は、底部（図示省略）及び底部に接続される側壁部３１１を備えたロール紙を収容するための収容部３１、及び、側壁部３１１に接続され収容部３１を覆うとともに開閉可能な蓋部３２と、を有するものである。
【００２３】
また、本ボックス３の蓋部３２は、抑え切込部３２１と、抑え切込部３２１の両端部に抜穴部３２２を有するものとなっている。
【００２４】
本ボックス３の材質は、安定してシート紙２を安定的に保持することができる限りにおいて限定されるわけではないが、例えば段ボール等の厚紙等で構成されていることが強度及び価格の観点から好ましい。
【００２５】
また、本ボックス３の収容部３１は、上記の通り、シート紙２を収容するものである。収容部３１は、上記の通りまず底部を有している。この形状は限定されるわけではないが、四角形、より具体的には長方形となっている。このようにすることで、ロール状のシート紙２の形状に合わせることが可能となる。
【００２６】
また、本ボックス３の収容部３１は、更に、上記の通り、底部に接続されて底部の平面に略垂直に立つ側壁部３１１を設けている。具体的に、底部が四角形の場合、四角形の辺それぞれに接続される側壁部３１１を４個有している。また、この複数の側壁部３１１のそれぞれはそれぞれが接する辺において接続されている。これにより上部の開口部分（側壁部材によって形成される縁）以外は密封した状態を形成することができる。
【００２７】
また、本ボックス３は、上記の通り、側壁部３１１に接続され収容部３１を覆うとともに開閉可能な蓋部３２を有する。蓋部材３２を設けることで内部に収容されるシート紙を安定的に保存することが可能となる一方、必要に応じてシート紙２を取り出すことができるようになる。
【００２８】
また、本ボックス３の蓋部３２は、上記の通り、抑え切込部３２１と、抑え切込部３２１の両端部に抜穴部３２２を有するものとなっている。抑え切込部３２１及び抑え切込部３２１を用いることで、本ボックス３の使用者（以下単に「使用者」という。）は、これらを介してシート紙２を効率よく容易に取り出すことが可能となる。
【００２９】
蓋部３２の抑え切込部３２１は、いわゆる切込によって形成されているが、切込みのみの部分であるためこの隙間にシート紙２を通すことができる一方、取り出さない場合はシート紙２の一部を出した状態でそのシート紙２を保持することができる。なお、後述するように、抜穴部３２２によって抜かれて相対的に突出することとなる部分は抑え部３２１１となる。また、後述の「抑え切込部の高さ」は、この高さを言う。
【００３０】
また、本ボックス３の蓋部３２には、上記の通り、この抑え切込部３２１の両端に抜穴部３２２が形成されている。この抜穴部３２２は、上記の抑え切込部３２１によってシート紙２を抑える一方、これ以外の部分ではシート紙２を取り出す際に抵抗とならないよう形成する部分である。すなわち、抑え切込部３２１ではシート紙２を取り出す切込があるとともに、安定的に保持するための部分である抑え部３２１１を有する一方、抜穴部３２２はシート紙２に抵抗を生じさせることなくシート紙２を取り出すことができるようにしている部分である。
【００３１】
また、蓋部３２において、シート紙２を取り出し及び保持することが安定的に行える限りにおいて限定されるわけではないが、抑え切込部３２１は、両端の抜穴部３２２よりも突出した位置にあることが好ましい。より具体的には、いわゆる山型に形成することで、シート紙２を山型の内側方向に曲げる力が働くこととなり、シート紙２が保持された場合の状態を安定的に統一できるといった効果があり、更に、これにより、抑え切込部３２１の抑え部３２１１により確実に抑えさせることが可能となる。
【００３２】
また本ボックス３の抜穴部３２２の形状は、上記の通り抑え切込部３２１に接続されている限りにおいて限定されるわけではないが、その縁が上記抑え切込部３２１の切込線の延長線上にあることが好ましい。このようにすることで抵抗を減らし、滑らかなシート紙２の取り出しが可能となる。また、製造上も切込みの形状を簡単にすることができるといった効果もある。
【００３３】
より具体的に抜穴部３２２の形状は、細長い穴となっていることも好ましい。これにより必要以上に穴の大きさを大きくすることがない。
【００３４】
また、本ボックス３において、限定されるわけではないが、抑え切込部３２１の長さは、抜穴部３２２の両端の長さを１とした場合に、０．２以上０．５以下の範囲にあることが好ましい。この場合のイメージを図６に示しておく。このようにすることで、抑えるための抵抗を適切な範囲に収めることができる。
【００３５】
また、本ボックス３において、限定されるわけではないが、抑え切込部の高さは５ｍｍ以上２ｃｍ以下の範囲にあることが好ましい。この範囲とすることで、例えば厚紙等で形成された場合に抑え部３２１１の強度を確保し形状を安定的に維持することができるようになる。
【００３６】
また、本ボックス３において、限定されるわけではないが、抜穴部は、当初ミシン目によって接続された抜穴紙を抜き外すことにより形成されることが好ましい。具体的には、例えば図７で示すように、蓋にすべて切込みを入れておき、使用者が使用を開始する際、抜穴部３２２を抜くことによって上記図で示すような蓋状態とすることが可能となる。
【００３７】
以上、ロール紙であっても、蓋を開く手間が無く安定的に取り出すことができるボックスロール紙及びロール紙収容ボックスを提供することができる。より具体的には、本ボックス３を用いることで、蓋を開けずとも安定的にシート紙２を連続的に取り出すことができるようになる。
【産業上の利用可能性】
【００３８】
本考案はボックスロール紙として産業上の利用可能性がある。
【図１】
0003232132.tif 000003
【図２】
0003232132.tif 000004
【図３】
0003232132.tif 000005
【図４】
0003232132.tif 000006
【図５】
0003232132.tif 000007
【図６】
0003232132.tif 000008
【図７】
0003232132.tif 000009
【手続補正書】
【提出日】令和3年3月17日(2021.3.17)
【手続補正１】
【補正対象書類名】実用新案登録請求の範囲
【補正対象項目名】全文
【補正方法】変更
【補正の内容】
【実用新案登録請求の範囲】
【請求項１】
ロール状のシート紙と、
底部及び前記底部に接続される側壁部を備えた前記シート紙を収容するための収容部、及び、側壁部に接続され前記収容部を覆うとともに開閉可能な蓋部と、を有するロール紙収容ボックスと、を有するボックスロール紙であって、
前記蓋部は、抑え切込部と、前記抑え切込部の両端部に抜穴部を有するボックスロール紙。
【請求項２】
前記抑え切込部の切込み線は、両端の前記抜穴部の縁に接続されており、前記切込み線及び前記抜穴部の縁は山型に形成され、これにより前記抑え切込部は両端の前記抜穴部よりも突出した位置にある請求項１記載のボックスロール紙。
【請求項３】
前記抑え切込部の長さは、前記抜穴部の両端の長さを１とした場合に、０．２以上０．５以下の範囲にある請求項１記載のボックスロール紙。
【請求項４】
前記抑え切込部の高さは５ｍｍ以上２ｃｍ以下の範囲にある請求項１記載のボックスロール紙。
【請求項５】
前記抜穴部は、当初ミシン目によって接続された抜穴紙を抜き外すことにより形成される請求項１記載のボックスロール紙。
【請求項６】
底部及び前記底部に接続される側壁部を備えた前記シート紙を収容するための収容部、及び、側壁部に接続され前記収容部を覆うとともに開閉可能な蓋部と、を有するロール紙収容ボックス。